(57)【要約】【課題】都度電子カルテを開かなくても複数人分の検査データを入力することができるとともに、入力された検査データは個々の電子カルテに反映させることが可能な電子カルテシステム及び電子カルテ端末装置を提供する。【解決手段】患者の電子カルテを格納する電子カルテサーバ２と、患者の氏名と、患者を検査することによって得られる検査データを入力する検査データ入力欄とを含む、複数の患者の検査データを入力する一覧を表示する表示部１ｇと、一覧に検査データを入力するとともに、検査データを患者の電子カルテに反映させる指示を入力するための入力部１ｆとを備える情報端末１とを備える。【選択図】図１
2015215807.tif 000002
【特許請求の範囲】
【請求項１】
患者の電子カルテを格納する電子カルテサーバと、
前記患者の氏名と、前記患者を検査することによって得られる検査データを入力する検査データ入力欄とを含む、複数の患者の検査データを入力する一覧を表示する表示部と、前記一覧に前記検査データを入力するとともに、前記検査データを前記患者の電子カルテに反映させる指示を入力するための入力部と、を備える情報端末と、
を備えることを特徴とする電子カルテシステム。
【請求項２】
前記情報端末は、
前記検査データの入力に必要な前記一覧を作成するとともに、前記検査データが入力される際に検査対象となる患者の前記電子カルテを開くことなく入力された前記検査データを前記電子カルテに反映させるテンプレート情報制御部と、
を備えることを特徴とする請求項１に記載の電子カルテシステム。
【請求項３】
前記テンプレート情報制御部は、
前記情報端末の操作を行う医療従事者からの入力情報を確認する入力確認部と、
前記入力情報を検査対象となる患者の前記電子カルテに反映させる入力結果反映部と、
前記医療従事者が前記検査データを入力する際に利用する前記一覧を作成するテンプレート作成部と、
前記医療従事者によって入力された入力情報が異常値であるか否かを判断する判断部と、
前記医療従事者によって入力された前記入力情報を表示部に表示させる表示指示部と、
を備えることを特徴とする請求項２に記載の電子カルテシステム。
【請求項４】
前記入力確認部は、前記医療従事者によって入力された絞り込み条件を基に、患者情報の中から、前記医療従事者が検査を行う対象となる患者に関する情報を絞り込んで一覧表示させることを特徴とする請求項３に記載の電子カルテシステム。
【請求項５】
前記入力確認部は、前記医療従事者が前記検査データを入力する際に、一覧表示されている患者のうち検査対象である患者に関する項目のみ入力可能とすることを特徴とする請求項３または請求項４に記載の電子カルテシステム。
【請求項６】
前記表示指示部は、前記判断部によって前記入力情報が異常値であると判断された場合にその旨報知することを特徴とする請求項３ないし請求項５のいずれかに記載の電子カルテシステム。
【請求項７】
前記判断部は、前記表示指示部によって前記入力情報が異常値である旨報知された場合に、医療従事者が異常値を示した患者の前記電子カルテを開いたか否かを判断することを特徴とする請求項６に記載の電子カルテシステム。
【請求項８】
患者の氏名と、前記患者を検査することによって得られる検査データを入力する検査データ入力欄とを含む、複数の患者の検査データを入力する一覧を表示する表示部と、
前記患者の電子カルテを格納する電子カルテサーバからカルテ情報を取得し、前記一覧に前記検査データを入力するとともに、前記検査データを前記患者の電子カルテに反映させる指示を入力するための入力部と、
前記検査データの入力に必要な前記一覧を作成するとともに、前記検査データが入力される際に検査対象となる患者の電子カルテを開くことなく入力された前記検査データを前記電子カルテに反映させるテンプレート情報制御部と、
を備えることを特徴とする電子カルテ端末装置。
【請求項９】
前記テンプレート情報制御部は、
前記電子カルテ端末装置の操作を行う医療従事者からの入力情報を確認する入力確認部と、
前記入力情報を検査対象となる患者の前記電子カルテに反映させる入力結果反映部と、
前記医療従事者が前記検査データを入力する際に利用する前記一覧を作成するテンプレート作成部と、
前記医療従事者によって入力された入力情報が異常値であるか否かを判断する判断部と、
前記医療従事者によって入力された前記入力情報を表示部に表示させる表示指示部と、
を備えることを特徴とする請求項８に記載の電子カルテ端末装置。
【発明の詳細な説明】
【技術分野】
【０００１】
本発明の実施の形態は、電子カルテシステム及び電子カルテ端末装置に関する。
【背景技術】
【０００２】
近年、例えば医療情報の１つである個々の患者のカルテに記載する様々な医療情報を電子化してデータベースに記憶させた電子カルテが普及している。電子カルテは、個々の患者に対する診断情報を記録し、診断等の際に使用される（特許文献１参照）。
【先行技術文献】
【特許文献】
【０００３】
【特許文献１】特開２００３−１２２８４９号公報
【発明の概要】
【発明が解決しようとする課題】
【０００４】
しかしながら、上記特許文献１において開示されている発明では、次の点について配慮がなされていない。
【０００５】
すなわち、上述したように電子カルテは、これまでの紙カルテに記入していた様々な医療情報を電子化してデータベースに記憶させているに過ぎないため、当然のことながら患者ごとに電子カルテが存在し、新たな医療情報を入力する場合には、対象となる患者の電子カルテを開かなければならない。
【０００６】
例えば外来患者を診察する診察医が利用する場合であれば、特に問題とはならない。つまり、患者に相対して診察を行う際、診察対象となる患者の電子カルテが開かれており、適宜必要な医療情報を入力することができるからである。そして、診察の対象が変わる度に電子カルテを閉じて再度対象となる患者の電子カルテを開けば足り、電子カルテの閉じる、開くに痛痒を感じることは少ないと思われる。
【０００７】
一方、これが入院している患者に対して行われる検査の結果を入力する場合には、逆に電子カルテを閉じる、開くという行為が煩わしいと感じられる場合が見受けられる。すなわち、例えば、同じ病室に入院している患者に対して朝血圧を測るような場合である。この場合、例えば看護師（以下、看護師や医師等をまとめて「医療従事者」と表わす）は順々に入院患者の血圧を測る。計測された検査データは、例えば手持ちのメモに残しておき、最後にまとめて各患者の電子カルテに入力される。
【０００８】
つまり、同じ検査を複数の患者に対して行っているので、開かなければならない電子カルテも検査対象となった患者分あることになる。この場合に、対象となる電子カルテがすぐに開き、或いは、閉じることができれば問題ないが、入力された項目を保存等しなければならないため、どうしても閉じるのに時間が掛かってしまう。また、開く場合も電子カルテが記憶されているデータベースにアクセスし、対象となる患者の電子カルテであることを確認した後、開くといった処理がなされるため、同じく時間が掛かってしまうことがある。
【０００９】
そうすると、入力しなければならない検査データが複数の患者分ある場合には、実際の検査データの記入よりも、記入するべき電子データを開き、閉じる処理に時間が掛かってしまい、この点が検査データを入力する医療従事者のストレスになりかねない。そしてこれが病棟内の患者に対して行われる検査の場合には、患者に対してもストレスを与えかねない。
【００１０】
本発明は上記課題を解決するためになされたものであり、本発明の目的は、都度電子カルテを開かなくても複数人分の検査データを入力することができるとともに、入力された検査データは個々の電子カルテに反映させることが可能な電子カルテシステム及び電子カルテ端末装置を提供することにある。
【課題を解決するための手段】
【００１１】
請求項１に記載の発明の特徴は、電子カルテシステムにおいて、患者の電子カルテを格納する電子カルテサーバと、患者の氏名と、患者を検査することによって得られる検査データを入力する検査データ入力欄とを含む、複数の患者の検査データを入力する一覧を表示する表示部と、一覧に検査データを入力するとともに、検査データを患者の電子カルテに反映させる指示を入力するための入力部とを備える情報端末とを備える。
【００１２】
請求項８に記載の発明の特徴は、電子カルテ端末装置において、患者の氏名と、患者を検査することによって得られる検査データを入力する検査データ入力欄とを含む、複数の患者の検査データを入力する一覧を表示する表示部と、患者の電子カルテを格納する電子カルテサーバからカルテ情報を取得し、一覧に検査データを入力するとともに、検査データを患者の電子カルテに反映させる指示を入力するための入力部と、検査データの入力に必要な一覧を作成するとともに、検査データが入力される際に検査対象となる患者の電子カルテを開くことなく入力された検査データを電子カルテに反映させるテンプレート情報制御部とを備える。
【図面の簡単な説明】
【００１３】
【図１】第１の本発明の実施の形態における電子カルテシステムを含む院内システムの全体構成を示すブロック図である。
【図２】第１の実施の形態における情報端末の内部構成を示すブロック図である。
【図３】実施の形態におけるテンプレート情報制御部の内部構成を示すブロック図である。
【図４】実施の形態における検査データを電子カルテに反映させる流れを示すフローチャートである。
【図５】実施の形態における検査データを電子カルテに反映させる流れを示すフローチャートである。
【図６】実施の形態における情報端末の基本となる画面の一例を示す画面例である。
【図７】実施の形態における情報端末の画面上において検査データを入力する際の画面例である。
【図８】実施の形態における情報端末の画面上において検査データを入力する際の別の画面例である。
【図９】実施の形態における情報端末の画面上において検査データを入力した結果、異常と判断された際の画面例である。
【図１０】実施の形態における電子カルテの構成について説明する説明図である。
【図１１】実施の形態におけるテンプレートの作成の流れを示すフローチャートである。
【図１２】実施の形態におけるテンプレート作成の際における、情報端末上の画面の一例を示す画面例である。
【図１３】実施の形態におけるテンプレート作成の際における、情報端末上の画面の一例を示す画面例である。
【図１４】第２の本発明の実施の形態における電子カルテシステムを含む院内システムの全体構成を示すブロック図である。
【図１５】第２の実施の形態における電子カルテサーバの内部構成を示すブロック図である。
【図１６】第３の本発明の実施の形態における電子カルテシステムを含む院内システムの別の全体構成を示すブロック図である。
【発明を実施するための形態】
【００１４】
以下、本発明の実施の形態について図面を参照して詳細に説明する。
【００１５】
（第１の実施の形態）
図１は、第１の本発明の実施の形態における電子カルテシステムＳを含む院内システムＡの全体構成を示すブロック図である。院内システムＡは、例えば、医療機関内に構築されるシステムであり、図１では当該システムの一例を示している。院内システムＡは、情報端末１と、電子カルテサーバ２と、モダリティ３と、薬剤サーバ４と、会計サーバ５とから構成される。またこれら院内システムＡを構成する各部は通信ネットワークＮにて互いに接続されている。
【００１６】
また、院内システムＡの中で、情報端末１と、電子カルテサーバ２は、本発明の第１の実施の形態における電子カルテシステムＳを構成している。電子カルテシステムＳは、それ自体独立したシステムとして構成されても良いが、例えば、病院情報管理システム（ＨＩＳ：Hospital Information System）、放射線部門情報管理システム（ＲＩＳ：Radiological Information System）、医用画像管理システム（ＰＡＣＳ：Picture Archiving Communication System）といった医療機関内に構築された各種管理システムの全て、或いは、その一部を構成するようにされていても良い。
【００１７】
図１においては、例えば、モダリティ３は、通信ネットワークＮに複数（モダリティ３Ａ，３Ｂ）接続されている状態が示されている。但し、通信ネットワークＮに接続され電子カルテシステムＳ、或いは、院内システムＡを構成するに当たっては、情報端末１を含め、接続される装置の数は単数、或いは、複数のいずれであっても良い。また、その他の各部についても通信ネットワークＮへの接続台数は自由に設定することができる。なお、モダリティ３Ａ，３Ｂについては以下適宜「モダリティ３」と表わす。
【００１８】
情報端末１は、例えば、パーソナルコンピュータ（ＰＣ）や院内システムＡに単数、或いは、複数台接続されるワークステーションといった機器である。情報端末１は、電子カルテに検査データ等を入力する、例えば、医師や看護師等の医療従事者が使用する装置である。従って、医療従事者が必要とする検査データ等の様々な医療情報を電子カルテに入力することが可能な装置であれば、有線、無線といった接続方法や携帯可能の有無といった機能、形態等は自由である。
【００１９】
電子カルテサーバ２は、医療機関内において作成される全ての電子カルテを記憶（格納）するサーバ装置である。電子カルテに入力を行う医療従事者は、基本的に当該電子カルテサーバ２にアクセスし、記入の対象となる患者の電子カルテを読み出して情報端末１に表示させ、必要な医療情報を記入することになる。
【００２０】
なお本発明の実施の形態においては、医療従事者は電子カルテを開くことなく、入力した検査データを電子カルテに反映させるという処理を行うことから、上述したような手順を踏んで電子カルテの記入を行う流れについては説明しない。
【００２１】
モダリティ３は、例えば、Ｘ線ＣＴ装置（computed tomography：コンピュータ断層撮影装置）や、磁気共鳴診断装置（ＭＲＩ：magnetic resonance imaging）等の医用画像診断装置であり、患者の内部情報を取得する（撮影する）機器である。
【００２２】
薬剤サーバ４は、例えば、診察によって医師が患者に対して処方した薬剤の提供の管理を司るサーバである。また、会計サーバ５は、カルテを基に患者に対して医療費を請求する際の会計を管理するサーバである。
【００２３】
通信ネットワークＮは、情報端末１、電子カルテサーバ２、モダリティ３等、院内システムＡの各部をそれぞれつなぎ、互いの間で、例えば電子カルテに関する情報や医用画像情報のやりとりを可能とする。通信ネットワークＮの例としては、ＬＡＮ（Local Area Network）やインターネット等のネットワークを挙げることができる。また、この通信ネットワークＮで使用される通信規格は、ＤＩＣＯＭ（Digital Imaging and Communication in Medicine）等、いずれの規格であっても良い。
【００２４】
図２は、第１の実施の形態における情報端末１の内部構成を示すブロック図である。情報端末１は、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。
【００２５】
さらに入出力インターフェイス１ｄには、入力部１ｆと、表示部１ｇと、通信制御部１ｈと、記憶部１ｉと、リムーバブルディスク１ｊと、テンプレート情報制御部１０とが接続されている。
【００２６】
ＣＰＵ１ａは、入力部１ｆからの入力信号に基づいてＲＯＭ１ｂから情報端末１を起動するためのブートプログラムを読み出して実行し、記憶部１ｉに格納されている各種オペレーティングシステムを読み出す。
【００２７】
またＣＰＵ１ａは、入力部１ｆや入出力インターフェイス１ｄを介して、図２において図示していないその他の外部機器からの入力信号に基づいて各種装置の制御を行う。さらにＣＰＵ１ａは、ＲＡＭ１ｃや記憶部１ｉ等に記憶されたプログラム及びデータを読み出してＲＡＭ１ｃにロードするとともに、ＲＡＭ１ｃから読み出されたプログラムのコマンドに基づいて、患者の検査データの入力処理やデータの計算、加工等、一連の処理を実現する処理装置である。
【００２８】
入力部１ｆは、情報端末１の操作者（医療従事者）が各種の操作を入力するキーボード、ダイヤル等の入力デバイスにより構成されており、操作者の操作に基づいて入力信号を作成しバス１ｅを介してＣＰＵ１ａに送信される。また、タッチパネル方式を採用し、キーボード等を備えていなくても良い。
【００２９】
表示部１ｇは、例えば液晶ディスプレイである。この表示部１ｇは、ＣＰＵ１ａからバス１ｅを介して出力信号を受信し、例えば患者の検査データを入力するための一覧（以下、このような一覧を「テンプレート」と表わす）の作成に当たって必要となる条件を設定する画面等、或いはＣＰＵ１ａの処理結果等を表示する。
【００３０】
通信制御部１ｈは、ＬＡＮカードやモデム等の手段であり、情報端末１をインターネットやＬＡＮ等の通信ネットワークＮに接続することを可能とする手段である。通信制御部１ｈを介して通信ネットワークＮと送受信したデータは入力信号または出力信号として、入出力インターフェイス１ｄ及びバス１ｅを介してＣＰＵ１ａに送受信される。
【００３１】
記憶部１ｉは、半導体や磁気ディスクで構成されており、ＣＰＵ１ａで実行されるプログラムやデータが記憶されている。
【００３２】
リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００３３】
テンプレート情報制御部１０は、医療従事者が電子カルテを開くことなく、例えば、患者に対して行われた検査の結果を示す検査データといった入力情報を入力する際に、その入力やテンプレート（一覧）の作成を制御する。また、入力された検査データは、そのまま該当の患者についての電子カルテに反映させる機能も備えている。
【００３４】
図３は、実施の形態におけるテンプレート情報制御部１０の内部構成を示すブロック図である。テンプレート情報制御部１０は、受信部１１と、入力確認部１２と、入力結果反映部１３と、表示指示部１４と、判断部１５と、テンプレートデータベース１６と、テンプレート作成部１７と、送信部１８とから構成される。なお、テンプレート情報制御部１０を構成するこれら各部の機能、働きについては、医療従事者が検査データを入力し、当該検査データを電子カルテに反映させる流れを説明する中で適宜説明する。
【００３５】
図４及び図５は、実施の形態における検査データを電子カルテに反映させる流れを示すフローチャートである。なお、ここで想定される場面としては、看護師等の医療従事者が、病棟に入院している患者に対して行う検査等を行うという場面である。そしてこの検査等によって把握された検査データ等の入力情報を医療従事者が情報端末１を利用して電子カルテに反映させることを前提としている。すなわち、病室内の複数の患者に対して、例えば、毎朝行われる血圧、体温、体重の測定といった検査によって得られる検査データをそれぞれの患者の電子データに反映させる場面である。
【００３６】
ここでまず、情報端末１の表示部１ｇに表示されている内容を示す。図６は、実施の形態における情報端末１の基本となる画面の一例を示す画面例である。図６の画面例においては、画面左側に３つのタブが表示されており、それぞれ「本日」、「８月４日」、「８月５日」と示されている。すなわち、それぞれの日付けにおいて、例えば検査対象となる患者が示されている。図６に示す画面例では、「本日」、検査対象となる患者の一覧が示されており、１０名表示されている。
【００３７】
図６に示す画面例では、患者については、１行ごとに１人ずつ示されており、患者を特定する項目として７つの項目が表示されている。ここでは、左から「患者Ｎｏ．」、「氏名」、「生年月日」、「年齢」、「性別」、「診療科」、及び「保険」の項目である。
【００３８】
例えば、一番上に表示されている、「患者Ｎｏ．」が「１００１１８４３０」の患者は、「氏名」が「ＡＡＡ」であり、「生年月日」は、１９７１年７月５日である。また、当該画面が表示されている時点での「年齢」は「４２歳」であり、「性別」は「男性」である。さらに「診療科」は「内科」であり、「保険」は「社保単」となっている。
【００３９】
これら患者に関する情報は、例えば、院内システムＡ内に構築されている、例えば、予約システムから取得しても良く、或いは、入院患者に関する情報（患者情報）を記憶している、例えばデータベースから取得しても良い。さらには、情報端末１内の記憶部１ｉ内に予め当該データベースからダウンロードしておいても、或いは、記憶部１ｉ内に記憶させておいても良い。なお、ここでは７つの項目を表示させているが、表示部１ｇに表示させる項目の数、内容については、自由に設定することができる。
【００４０】
まず医療従事者は、検査を行う前にこれから行う検査に関する条件を入力する。医療従事者の入力によって、情報端末１では、入力された検査条件を把握する（ＳＴ１）。検査条件としては、例えば、入院患者に対して毎朝行われる検査の項目であったり、或いは、血圧のみを行うといった条件である。このように検査条件は、検査項目で条件を入力しても良い。また、検査を行う医療従事者の、例えばＩＤを入力することで対応しても良い。医療従事者が担当する患者が決まっている場合、医療従事者を識別するＩＤを入力することで、検査対象となる患者を特定することができる。
【００４１】
或いは、端的に例えば、病室の番号を入力することで対応しても良い。通常、病室は診療科ごとに分かれていることが多いことから、病室が特定できれば入院している患者に対して行う検査も特定することができると考えられる。以下においては、医療従事者は、ステップＳＴ１において、検査条件として病室の番号を入力したことを前提に話を進める。
【００４２】
検査対象の入力は、例えば、図６に示す画面例を例に挙げると、日付けのタブの横に検索欄が設けられている。そこで、医療従事者は、当該欄に検査条件である病室の番号を入力し、当該欄の右隣に設けられている「検索」ボタンをクリックする。これで、表示されている患者の中から当該検査条件に該当する患者が抽出されることになる。
【００４３】
なお、ここでは予め表示部１ｇに本日検査の対象となる患者の一覧が既に表示されていることを前提にその中から検査条件に合致する患者を抽出することとしているが、このような事前の患者一覧が表示されていない状態から、検査条件に合致する患者を抽出することとしても良い。この場合には、例えば、抽出母体となる患者の情報を記憶しているデータベースに情報端末１がアクセスすることで、必要な情報を入手し、検査条件に合致する患者を抽出する。
【００４４】
情報端末１では、入力された検査条件を基に、検査対象となる患者を抽出し一覧にして表示部１ｇに表示する（ＳＴ２）。
【００４５】
上述したように、ここでは患者の検査を行う医療従事者が検査対象となる複数の患者が入院している病室の番号を入力しているので、この病室の番号を検査条件として検査対象となる患者が抽出される。この検査条件の下では、同一の番号を持つ病室に入院している患者は全て検査対象となる。また、さらに検査条件を追加することで、同一の番号を持つ病室に入院している患者の中でさらに検査条件として挙げられた検査を受ける患者のみが抽出することも可能である。
【００４６】
なお、上述した処理は、例えば、テンプレート情報制御部１０内の入力確認部１２が検査条件の入力を把握し、当該検査条件に合致する患者を抽出する処理は、入力内容を確認した入力確認部１２からの指示に基づいて、例えば表示指示部１４において行われる。但し、このような処理方法に限らず、例えば、情報端末１のＣＰＵ１ａが検査条件を確認し該当する患者を抽出することとしても良い。
【００４７】
図７は、実施の形態における情報端末１の画面１ｇ上において検査データを入力する際の画面例である。図７に示す表示部１ｇにおいては、検査条件を入力する欄に病室の番号である「８１３」が入力され、当該検査条件に基づいて患者が抽出され一覧表示されている状態が示されている。ここでは、検査対象となる８１３号室に入院している患者は男性ばかり４名である。
【００４８】
入力確認部１２は、医療従事者が検査データを入力するためのテンプレートが用意されているか否かを確認する（ＳＴ３）。ここで「テンプレート」とは、表示部１ｇ上に表示される、医療従事者が患者の検査を行った後、当該患者の検査データを入力するための入力欄、或いは、入力シートと言えるものである。テンプレートの一例は、例えば、図７の画面１ｇ例に示されている。図７に示す画面例においては、テンプレートＴ１は画面右側に表示されており、テンプレートＴ１上に検査データを入力するための項目が表示されている。
【００４９】
入力確認部１２によるテンプレートＴの有無は、例えば、テンプレートデータベース１６にその作成の有無を問い合わせることで行われる。テンプレートデータベース１６では、これまで作成されたテンプレートに関する情報を記憶しており、当該情報を確認することで、テンプレートＴの有無を確認することができる。或いは、入力確認部１２は、テンプレート作成部１７を介してテンプレートデータベース１６にアクセスしても良い。
【００５０】
テンプレートＴが既に作成されている場合には（ＳＴ３のＹＥＳ）、医療従事者によって検査内容を示すテンプレートボタンＴＢ１が押し下げられたか否かが確認される（ＳＴ４）。テンプレートボタンＴＢが押し下げられたことが確認できるまでテンプレート情報制御部１０は待機となり（ＳＴ５のＮＯ）、確認後、該当するテンプレートＴを表示部１ｇに表示させる（ＳＴ６）。
【００５１】
テンプレートＴを表示するに当たっては、入力確認部１２は、押し下げられたテンプレートボタンＴＢがいずれのテンプレートボタンＴＢであるかを確認し、該当するテンプレートＴをテンプレートデータベース１６から取得する。テンプレートデータベース１６には、これまで作成されたテンプレートＴがその項目に関する情報とともに記憶されている。
【００５２】
なお、ここではテンプレート情報制御部１０内にテンプレートデータベース１６を設けた形態を前提に説明を行っているが、例えば、テンプレートデータベース１６の機能を記憶部１ｉ内に設けても良い。この場合、入力確認部１２は記憶部１ｉにアクセスして必要なテンプレートＴを入手し、表示指示部１４を介して画面上に表示させる。
【００５３】
このようにして表示されたテンプレートボタンＢＴ１が、図７に示されている。図７の画面例において、最上段の検査条件の入力欄横に「朝検査」と表示されているボタンが示されている。このボタンがテンプレートボタンＴＢ１である。テンプレートボタンＴＢ１を医療従事者がクリックすると、当該テンプレートボタンＴＢ１に割り当てられているテンプレートＴが画面１ｇ上に表示される。このように表示されたのが、図７の画面例右側のテンプレートＴである。
【００５４】
なお、画面１ｇ上に患者を特定する各項目を表示させるとともに、テンプレートＴ１も併せて表示させる必要があることから、項目の数は、例えば、図６に示す画面例における項目の数よりも少なくなっている。
【００５５】
また、ここでテンプレートボタンＴＢ１とされるボタンには、「朝検査」との表示が示されている。これは後述するが、テンプレートＴを作成する際に付与される（つけられる）名称であり、ここでは入院患者に対して毎朝行われる検査の項目を備えるテンプレートＴを表示させるための名称である。このように、例えば、いつどのような検査を行うのかという内容を名称としてテンプレートボタンＴＢに設定しておくことで、医療従事者もテンプレートの内容を即座に認識することができ、処理を迅速に行うことができる。
【００５６】
図７の画面例においては、医療従事者が「朝検査」との名称が付された当該テンプレートボタンＴＢ１をクリックしたことでテンプレートＴ１が表示された状態が示されている。テンプレートＴ１上には入力項目が３つ（「血圧１」、「体温」、及び「体重」）が表示されている。これらの項目は、検査対象となる患者に対して毎朝行われる検査の項目である。
【００５７】
すなわち、各患者ごとにそれぞれ３つの項目が毎朝検査され、その検査結果である検査データがテンプレートＴ１を利用して入力されることになる。例えば、医療従事者は、情報端末１を携えて８１３号室に入院している患者を一人一人回り、検査を行っていく。図７の画面例を参照すると、これまで２人の患者（患者Ｎｏ．が「１００１１８４３０」と「１１１００８９７３」の２人）についてそれぞれ「血圧１」、「体温」、「体重」の３つの検査が終了し、検査データが入力されている。そして、現在、患者Ｎｏ．が「１０００５５１３４」の患者に対する検査が行われている。詳細には、血圧に関する検査データが入力されているので、血圧に関する検査は終了し、体温、或いは、体重が計測されている状態であると推察することができる。
【００５８】
ところで、検査データを入力するに当たっては、検査（入力）対象となる患者が選択されたか否かを確認する必要がある（ＳＴ７）。入力対象となる患者の選択には、例えば、該当する患者の行にカーソルを当ててクリック等させることで行われる。
【００５９】
ここでは、画面上、「現入力」という項目が設けられている。この「現入力」は、医療従事者が実際にいずれの患者に関する検査データを入力しているのかを示している。図７の画面例では、上述した患者Ｎｏ．が「１０００５５１３４」の患者に対する検査が行われており、当該患者に関する検査データの入力がなされているところである。そのため、患者Ｎｏ．が「１０００５５１３４」の患者の「現入力」の欄に印（ここでは星印）が表示されている。この印を表示させるためには、医療従事者が検査データを入力しようとしている患者を選択する必要がある。
【００６０】
換言すれば、医療従事者は検査データの入力対象とする患者を選択し、現入力の欄に印を表示させた後でなければテンプレートＴ上に検査データを入力することはできないようにされている。例えば、図７に示すように検査対象となる患者が複数一覧として表示されている場合、テンプレートＴ上、いずれの患者の欄にも入力可能であるとすると、誤って別の患者の該当欄に他の患者の検査データを入力してしまう可能性が考えられる。医療の現場において、データの取り違えはあってはならないのであり、当該取り違え、入力ミスをできるだけ排除するべく、このように、選択した患者についてのみ入力を可能としている。
【００６１】
なお、本発明の実施の形態においては、図７に示すように「現入力」の欄を設けて、入力対象となる患者が選択され、検査データの入力が可能となっている旨、示しているが、例えば、患者を選択したことで、当該患者の表示が反転し、この反転表示をもって入力対象となる患者であることを表示させても良い。また、直接画面上の患者を選択することで検査データの入力対象となる患者を特定するのではなく、例えば、患者が身につけているリストバンドのバーコード等の識別タグを読み取ることで、患者を選択、特定することとしても良い。そして、このような患者を選択、特定する処理が、すなわち、これまでの検査データを入力するに当たって患者ごとの電子カルテを開くと同等の意味を有することになる。
【００６２】
テンプレートＴ１上入力された検査データは、入力確認部１２において確認される（ＳＴ８）。入力された検査データは、表示指示部１４に送られて、テンプレートＴ１上に表示するよう処理される。
【００６３】
さらに入力確認部１２は、テンプレートＴに設けられている「反映」ボタンが押し下げられたか否か、確認する（ＳＴ９）。ここで「反映ボタン」とは、入力された検査データを該当する患者の電子カルテに反映させるためのボタンである。本発明の実施の形態においては、検査の際、患者が替わっていく度に電子カルテを開いて検査データを入力し閉じる、という処理を行うことによる、入力までの待機時間の発生、ひいては検査終了までの時間の長時間化を回避するべく、都度電子カルテを開くことなく検査データを該当の電子カルテに反映させることを目的としている。ここでの反映ボタンの押し下げ処理が、正にこの電子カルテを開かずに入力内容を反映させるための処理、ということになる。
【００６４】
医療従事者によって反映ボタンが押される（クリックされる）までは（ＳＴ９のＮＯ）、テンプレートＴ１に入力された検査データは、あくまでも情報端末１に入力されたに過ぎず、電子カルテには反映されていない。医療従事者が反映ボタンをクリックしたことを入力確認部１２が確認した場合に（ＳＴ９のＹＥＳ）、その旨の信号が入力結果反映部１３に伝えられ、検査データが入力された対象となる患者の電子カルテにその内容が反映される（ＳＴ１０）。
【００６５】
ここで入力された検査データは、患者個人の情報、例えば、図７の画面例に表示されている患者を特定する項目で言えば、例えば「患者Ｎｏ．」と紐付けられている。入力結果反映部１３は、検査データとこの紐付けられている患者を特定する項目（情報）とをまとめて送信部１８を介して電子カルテサーバ２に送信する。これらの情報を受信した電子カルテサーバ２では、患者を特定する情報を基に受信した検査データを当該患者の電子カルテに反映させる。
【００６６】
なお、反映ボタンをクリックしたことですぐに検査データを電子カルテに反映させる方法も採用することができるが、例えば、一旦、反映ボタンをクリックした後に、検査データを電子カルテに反映させても良いか、医療従事者に問い合わせる画面を表示させて、改めて反映の意思確認を医療従事者に求めるようにしても良い。この方法を採用すると、医療従事者は入力した検査データを改めて患者を紐づけて確認することができる。
【００６７】
また、入力された検査データを電子カルテに反映させる場合、１人の患者に対する検査が終了する度に反映ボタンを押し下げて反映処理を行っても良い。或いは、検査条件を基に抽出された患者の全てについて検査が完了し、全ての検査項目について検査データが揃った時点で反映処理を行っても良い。
【００６８】
図８は、実施の形態における情報端末１の画面１ｇ上において検査データを入力する際の別の画面例である。図８に示す画面例では、図７に示す画面例とは異なるテンプレートＴ２が表示されている。このテンプレートＴ２は、その画面上部に示されている「血圧検査」というテンプレートボタンＴＢ２を押し下げることで表示されるテンプレートである。このテンプレートＴ２には３つの項目が設定されており、それぞれ「血圧１」、「血圧２」、「血圧３」とされている。このテンプレートＴ２は例えば、同日の異なった時間に３回計測される血圧を入力する際に利用されるテンプレートである。図８に示す画面例では、現在医療従事者が患者Ｎｏ．が「１００１８５７４６」の患者に対して血圧の計測を行い、その検査データを入力しようとしている状態が示されている。そのため「現入力」の欄には上述した患者の欄に印が表示されている。
【００６９】
このように、同じ検査を複数の患者に対して行った場合には、例えば、全ての患者に対する検査が終了してから反映ボタンを押して反映処理を行うと、医療従事者の処理は効率的に行える。
【００７０】
医療従事者によって入力された検査データは、入力確認部１２においてその入力が確認され（ＳＴ８参照）、この入力された検査データは、入力結果反映部１３、表示指示部１４に送信されることは上述した通りである。併せて、この検査データは、判断部１５にも送信される。判断部１５は、入力確認部１２から送信された検査データを受信し、当該検査データが異常値を示しているか否かを判断する（図５のＳＴ１１）。
【００７１】
本発明の実施の形態においては、患者に検査を処置した場合に個々の患者の電子カルテを都度開くことなく検査データを入力し、当該入力された検査データは、それぞれの患者の電子カルテに反映される。従って、検査データを入力して反映処理を行うだけでは、電子カルテを開くことはない。この処理の流れは、検査の流れを阻害せず、スムーズに検査を行うために採用されたものであるが、検査結果である検査データが異常値を示した場合にまで電子カルテを開くことを認めない、ということではない。
【００７２】
つまり、検査データが異常値を示していると判断できる場合には、当然のことながら当該異常値を示した検査データが得られた患者の電子カルテを開いて、その理由を解析、或いは、今後の治療方針を検討等することが必要となる。そこでこのような場合には、以下に説明するような手順で、医療従事者が電子カルテを開くように促す。
【００７３】
なお、どのような判断基準をもって判断部１５が検査データに異常値が含まれているかを判断するのか、という点については、任意に設定することができる。すなわち、例えば、当該異常値を示す検査データが得られた患者の過去の検査データとの比較で異常値であるか否かを判断しても良い。或いは、当該異常値を示す検査データが得られた患者が罹患している疾病において異常値とされる値を予め取得しておき、当該値との比較によって異常値であるか否かを判断しても良い。また、比較の対象となるデータについては、判断部１５内に記憶させておいても、或いは、別途、例えば、記憶部１ｉ等に記憶されていても良い。
【００７４】
判断部１５によって判断が行われた結果、入力確認部１２から受信した検査データが異常値である場合には（ＳＴ１１のＹＥＳ）、医療従事者に対してその旨報知する（ＳＴ１２）。医療従事者への異常値の報知の仕方については、様々な方法を採用することができる。例えば、音声によって異常値である旨知らせたり、或いは、表示指示部１４を介して該当の検査データが入力された患者の欄を表示部１ｇ上の一覧において点滅させたり反転させることで報知しても良い。
【００７５】
図９は、実施の形態における情報端末１の画面１ｇ上において検査データを入力した結果、異常と判断された際の画面例である。図９に示す画面例においては、現在患者Ｎｏ．が「１０００５５１３４」の患者に対して３回目の「血圧検査」が行われ、その検査データが入力されている状態が示されている。この画面例によると、当該患者の欄が反転して、或いは、色付きで示されている。これは、当該患者の血圧を計測し、検査結果を入力したところ、判断部１５が入力された検査データが異常値であると判断したことを示している。
【００７６】
医療従事者は、このように異常値である旨、情報端末１から報知された場合、確認のため当該患者に関する電子カルテを開くことが多い。そこで、入力確認部１２は医療従事者によって電子カルテが開かれたか否かを確認する（ＳＴ１３）。電子カルテが開かれたか否かの確認は、例えば、情報端末１が電子カルテサーバ２にアクセスしたか否かを確認することで確認することができる。或いは、予め規定されている時間内に該当する患者の欄がダブルクリックする等の処理がなされたか否かを確認することであっても良い。
【００７７】
ここで電子カルテを開く処理としては、例えば、異常値であることを報知された患者の欄をダブルクリックする等が考えられる。このような処理が行われることをトリガーとして、情報端末１は電子カルテサーバ２にアクセスし、必要な電子カルテを表示部１ｇ上に表示する。
【００７８】
またこのような方法を採用するのではなく、例えば、異常値を示す検査データが入力された場合には、強制的に当該患者の電子カルテを開くように設定されていても良い。
【００７９】
なお、異常値であると判断された場合には、このように基本的に医療従事者は当該患者に関する電子カルテを開くことになることが多い。一方、検査の途中である場合等には、医療従事者がここで該当の電子カルテを開くのではなく、全ての検査を終了させてから電子カルテを開く、との判断を行うことも考えられる。このような場合も想定されることから、例えば、判断部１５は、電子カルテが開かれない場合には（ＳＴ１３のＮＯ）、医療従事者に対して電子カルテを後で開くか否かを問う（ＳＴ１４）。この問いかけは、例えば、表示部１ｇ上に「電子カルテを後で開く？」といったメッセージを表示させることで医療従事者に確認をしても良い。
【００８０】
この確認の結果、医療従事者が電子カルテを後で開く旨回答した場合には（ＳＴ１４のＹＥＳ）、再度これまで行われてきた処理を続行する。すなわち、検査データの入力であるが、入力確認部１２は当該処理を続行するに当たって、一旦、未だ他の患者に関する検査データを入力する処理が残っているか否か、医療従事者に確認する（ＳＴ１５）。
【００８１】
検査データが異常値である場合の報知が検査データの入力の最後に入力された検査データに対してなされた場合には、この後に新たに検査データを入力することはないので、この段階でテンプレートＴを利用した検査データの入力は完了する（ＳＴ１５のＮＯ）。一方、例えば、図９のテンプレートＴ２に示されているように、異常が報知された患者の後ろに未だ検査が完了していない患者が控えている場合には、再度ステップＳＴ７に戻って、検査の続行、及び、得られた検査データの入力がなされる。
【００８２】
図１０は、実施の形態における電子カルテの構成について説明する説明図である。電子カルテは、カルテであることから、患者ごとに作成される。図１０に示す説明図の最上段、一番左に「患者」と示されているのは、この点を示している。
【００８３】
この説明図において明らかなように、電子カルテは階層構造となっており、左から右に移るに従って階層が深くなっていく。例えば、「患者基本情報」は、「診察、所見情報」といった電子カルテを構成する各領域の項目よりも上位に位置づけられる。一方で「患者基本情報」は３つの階層から構成される（「患者基本情報１」ないし「患者基本情報Ｎ」）が、同じ列に規定されていることから、これらの「患者基本情報」はいずれも同じ位置付け（同列）にある。図１０における説明図では、「患者基本情報１」内の「検査情報」の中に、検査データとして入力される「血圧」や「体温」といった項目が含まれている。
【００８４】
一方、これまで説明してきた、「検査テンプレート」は、あくまでも電子カルテを開くことなく検査データを入力することを可能とする、いわば、入力ツールとしての役割を果たす。従って、図１０に示すような電子カルテの構成といった観点からすると、テンプレートＴは電子カルテを構成するものではない。そのため、テンプレートＴは患者、或いは当該患者の電子カルテを紐づけられているものの、上述した階層構造を構成していない。また、検査データに基づいてその異常値を報知する「検査結果異常値検知情報」も、テンプレートＴ上に入力された検査データを基に判断されることから、「検査テンプレート」に紐づけられているものの、医療従事者に電子カルテを開くことを促すための情報に留まり、電子カルテを構成するものではない。
【００８５】
しかしながら、上述したように、テンプレートＴを利用して医療従事者が入力した検査データは、電子カルテに反映される。そのため、テンプレートＴごとに入力内容が反映される先が決まっている。例えば、「検査テンプレート」として作成された「朝検査」というテンプレートＴ１は、図７にも示されているように、「血圧」、「体温」、及び「体重」の３つの項目を設定している。ということは、これら各項目に入力された検査データは、それぞれ、「患者基本情報１」内の「検査情報」の中に位置づけられる、「血圧」、「体温」、「体重」の欄に反映されることになる。この関係については、図１０においては破線で示している。
【００８６】
医療従事者が検査データを入力する際に利用するテンプレートＴは、電子カルテにおいて上述したような位置づけにあるが、テンプレートＴは医療従事者によって作成されなければ利用することができない。そこで以下においては、テンプレートＴの作成の流れについて説明する。
【００８７】
これまで説明してきた実施の形態における検査データを電子カルテに反映させる流れの中では、図４に示すステップＳＴ３に示される場面である。すなわち、医療従事者が患者に対してなした検査の結果を検査データとして電子データに反映させるべく入力を行う場合に、適切なテンプレートＴが存在しない場合である。この場合に（ＳＴ３のＮＯ）、テンプレートＴを作成する処理が開始される（ＳＴ２０）。
【００８８】
なお、このように検査データを入力する際に適当なテンプレートＴがない場合にテンプレートＴを作成するという流れだけではなく、事前に必要なテンプレートＴを作成することができるようにされていても良い。
【００８９】
図１１は、実施の形態におけるテンプレートＴの作成の流れを示すフローチャートである。ここまでは例えば、「朝検査」や「血圧検査」といった名称が付けられたテンプレートを例に挙げて説明してきた。このテンプレートを如何に作成するか、が以下の説明となる。
【００９０】
なお、テンプレートＴの作成の流れを説明するに当たっては、画面例も併せて参照する。図１２及び、図１３は、実施の形態におけるテンプレートＴ作成の際における、情報端末１上の画面１ｇの一例を示す画面例である。
【００９１】
図１２の画面例を見ると、基本となる画面構成は、図６に挙げた画面例と同様である。なお、テンプレートＴを作成する際のスタート画面は、いずれの画面であっても良い。本発明の実施の形態においては、上述したように医療従事者が患者に対してなした検査の結果を検査データとして電子データに反映させるべく入力を行う場合に、適切なテンプレートＴが存在しない場合を例に挙げて説明するため、図１２に示す画面は図６に挙げた画面例と同様の画面となる。
【００９２】
画面最上段にタブや検索欄が設けられている。そしてこの最上段の最も右側に、「テンプレート作成ボタン」が設けられている。このテンプレート作成ボタンＤをクリックすることが、テンプレートＴを新たに作成する際のスタートとなる。従って、テンプレート情報制御部１０では、医療従事者がテンプレート作成ボタンＤを押し下げたか否か、確認する（ＳＴ２１）。この確認は、入力確認部１２が行う。
【００９３】
入力確認部１２が医療従事者によってテンプレート作成ボタンＤが押し下げられたと確認した場合（ＳＴ２１のＹＥＳ）、画面１ｇ上にテンプレート名入力画面を表示するよう、表示指示部１４に指示する（ＳＴ２２）。
【００９４】
図１２に示す画面例には、テンプレートＴを作成する際の最初のステップとしてテンプレート名を入力するためのテンプレート名入力画面が表示されている。この画面では、新たに作成するテンプレートに付する名称を入力する欄と、当該欄に入力した名称が適切であるとして承認するのか、或いは、キャンセルするのかの意思表示のためのボタンが設けられている。前者が「ＯＫボタン」であり、後者が「キャンセルボタン」である。
【００９５】
医療従事者は、テンプレート名を入力し、「ＯＫボタン」、或いは、「キャンセルボタン」のいずれをクリックする。テンプレート情報制御部１０の入力確認部１２においては、テンプレート名が入力されたか否かを確認する（ＳＴ２３）。すなわち、ＯＫボタンが押し下げられたか確認する。
【００９６】
なお、図１１に示すフローチャートでは、テンプレート名入力画面が表示されたものの最終的にキャンセルボタンが押された場合については示されていないが、この場合には、テンプレートの作成が終了することになる。
【００９７】
ステップＳＴ２３においては、テンプレート名が入力されるまで待機し、テンプレート名が入力されてＯＫボタンが押し下げられたかを確認した後、テンプレートを作成するとの信号は入力確認部１２からテンプレート作成部１７へと送信され、テンプレート作成部１７は、新たに作成されるテンプレートＴに挙げる項目を選択するための画面を表示させる（ＳＴ２４）。
【００９８】
この状態を示すのが図１３に示す画面例である。図１３に示す画面例は、例えば、電子カルテのひな形を示した画面例である。テンプレートＴを利用するのは、検査データを入力する度に電子カルテを開かないようにするためである。一方、入力された検査データは確実に該当の電子データに反映させる必要がある。そこで、テンプレートＴに設けることが可能な項目は、電子カルテにおいて入力が求められる項目に限られる。
【００９９】
もちろんテンプレートＴにおいて入力された項目を電子カルテのいずれの項目に反映させるかを明確にしてあれば、電子カルテに入力されない項目であってもテンプレートＴの項目として設定することは不可能ではない。但し、テンプレートＴにおいて入力された検査データを電子カルテに反映させることを考慮すれば、電子カルテにおいて入力が求められる項目とテンプレートＴにおいて入力可能な項目は一致させておく方が医療従事者も処理が簡便である。そこで、本発明の実施の形態においては、テンプレートＴにおいて入力可能な項目は、電子カルテにおいて入力が求められる項目であることを前提とする。
【０１００】
そしてこの前提に立てば、新たに作成されるテンプレートＴにおいて入力可能な項目を設定する場合には、電子カルテに設けられている項目から設定する項目を直接選択できた方が簡便、かつ、確実である。そのため、上述したように、新たに作成されるテンプレートＴの項目を設定するに当たっては、電子カルテのひな形を表示させ、このひな形に表示されている項目からテンプレートＴに表示させる項目を医療従事者に選択させることとしている。
【０１０１】
図１３に示す電子カルテのひな形のうち、左上部に示されている「体重」、「血圧Ｈ」、或いは、「体温」といった項目には、いわゆるラジオボタンが項目の先頭に表示されている。そして、「体重」、「血圧Ｈ」、「体温」の項目に関するラジオボタンは選択されて黒く表示されている。一方「心拍数」の項目に設けられているラジオボタンについては、選択されていないことから白く表示されている。
【０１０２】
また、「身長」等についてはラジオボタン自体が設けられていない。これは、本発明の実施の形態におけるテンプレートＴを利用した検査項目としては想定されていないからであるが、当然、「身長」等の項目についてもラジオボタンが設けられ、テンプレートＴにおける記入項目として選択可能とされていても良い。
【０１０３】
図１３に示されている画面上には、「保存テンプレート選択」と題されたウィンドゥが表示されている。当該ウィンドゥには、作成されてテンプレートデータベース１６内に記憶されているテンプレートＴが示されている。
【０１０４】
なお、ここでは、今回作成している「朝検査」に関するテンプレートの他、「血圧検査」のテンプレートについてもウィンドゥ内に表示されている。但し、ウィンドゥに表示されるテンプレートは、作成途中のテンプレートに関する情報のみを表示させることとしても良い。一方、既に記憶されているテンプレートＴの入力項目を変更することまで考慮するならば、図１３に表示されているウィンドゥのように、テンプレートデータベース１６内に記憶されている全てのテンプレートの情報を表示させることも可能である。
【０１０５】
「保存テンプレート選択」のウィンドゥ上では、「朝検査」の名称が付されたテンプレートに関するラジオボタンにチェックが入っている。すなわち、現在保存の対象とするテンプレートはこの「朝検査」のテンプレートである。そして、当該「朝検査」のテンプレートにおいて入力する項目としては、このウィンドゥの奥の画面に示されているように、「体重」、「血圧」、「体温」の３つの項目が選択されている。
【０１０６】
この状態でウィンドゥ下部に設けられた「保存ボタン」が押されると、テンプレート作成部１７は、入力項目が選択されたと判断して（ＳＴ２５のＹＥＳ）、この内容で「朝検査」のテンプレートが新たにテンプレートデータベース１６内に記憶される（ＳＴ２６）。以上で、新たにテンプレートＴを作成する流れが終了する。
【０１０７】
なお、この場面でキャンセルボタンが押された場合の処理であるが、テンプレートの作成処理自体を終了させてしまっても良く、或いは、１つ前の画面、すなわち図１２の画面例に示す、テンプレート名入力画面に戻る処理としても良い。
【０１０８】
以上のような構成、機能を備えることで、患者に対して行われた検査結果を入力する際に都度電子カルテを開かなくても複数人分の検査データを入力することができるとともに、入力された検査データは個々の電子カルテに反映させることが可能な電子カルテシステム及び電子カルテ端末装置を提供することができる。
【０１０９】
特に検査対象となる患者を一覧で表示させつつ、検査データのみを入力することが可能なテンプレートを設け、当該テンプレートに検査データを入力するようにするとともに、入力された検査データは該当する患者の電子カルテに自動的に反映させることとしたため、通常の検査であれば電子カルテを開く必要はない。従って、検査対象が替わる度に電子カルテを閉じて開き直す手間が省け、検査効率を高めることができる。
【０１１０】
また、テンプレートへの検査データの入力に当たっては、選択された患者１名のみ入力が可能とされている。すなわち、一覧表示されているその他の患者に関するテンプレートには検査データを入力することができない。従って、患者と検査データとを取り違えるという危険性を最小限に抑えることができる。
【０１１１】
さらに、テンプレートに入力された検査データについては、異常の有無が判断され、異常値であると判断された場合には、その旨医療従事者に対して報知されることから、この報知を受けて医療従事者は該当の電子カルテを開くことができる。このように電子カルテを必要に応じて開き、或いは、不要な場合には開かずとも検査データを反映させることができるため、これまで以上に電子カルテの使い勝手が向上する。
【０１１２】
また、適宜テンプレートも追加作成することができるため、医療機関ごとの実情に応じたテンプレートの作成が可能である。このようなテンプレートが予め作成されて使用されることによって、検査効率の向上、誤入力の削減を図ることができる。
【０１１３】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【０１１４】
図１４は、第２の本発明の実施の形態における電子カルテシステムＳ１を含む院内システムＡ１の全体構成を示すブロック図である。電子カルテシステムＳ１は、情報端末１Ａと電子カルテサーバ２Ａとから構成されている。
【０１１５】
これまで説明した第１の実施の形態においては、医療従事者が検査データを入力する際に使用する情報端末１が検査データの入力のみならず、入力された検査データを電子カルテに反映させる処理、或いは、テンプレートを作成する処理も行っていた。第２の実施の形態においては、この第１の実施の形態における情報端末１が行っていた処理、機能を電子カルテサーバ２Ａが備えている点が相違する。
【０１１６】
すなわち、第２の実施の形態における情報端末１Ａは、あくまでも検査データを入力するだけの端末に過ぎず、入力された検査データを電子カルテに反映させる等の処理は、情報端末１Ａにおいて入力された検査データを受信した電子カルテサーバ２Ａが行う。
【０１１７】
図１５は、第２の実施の形態における電子カルテサーバ２Ａの内部構成を示すブロック図である。電子カルテサーバ２Ａは、受信部２１と、テンプレート情報制御部２２と、電子カルテデータベース２３と、送信部２４とから構成されている。このうち、テンプレート情報制御部２２は、第１の実施の形態における情報端末１が備えていたテンプレート情報制御部１０と同じ機能、働きを有する。また、電子カルテデータベース２３は、医療機関内において作成される全ての電子カルテを記憶（格納）するデータベースである。
【０１１８】
電子カルテサーバ２Ａはこのような構成を採用しているが、入力された検査データを電子カルテに反映する流れ、検査データを入力する際に用いるテンプレートＴの作成の流れは、第１の実施の形態において説明した流れと略同様である。
【０１１９】
以上のような構成を採用することで、患者に対して行われた検査結果を入力する際に都度電子カルテを開かなくても複数人分の検査データを入力することができるとともに、入力された検査データは個々の電子カルテに反映させることが可能な電子カルテシステム及び電子カルテ端末装置を提供することができる。
【０１２０】
特に情報端末１Ａは入力された検査データを電子カルテに反映させるといった処理を行わずに済むので、検査データを過不足なく入力する処理を行うことができれば足りる。従って、高度な機能を備えている必要がないことから、低価格なより低いスペックの機器であっても対応できるため、医療機関にとって導入が容易になる。
【０１２１】
（第３の実施の形態）
次に本発明における第３の実施の形態について説明する。なお、第３の実施の形態において、上述の第１、或いは第２の実施の形態において説明した構成要素と同一の構成要素には同一の符号を付し、同一の構成要素の説明は重複するので省略する。
【０１２２】
ところで、これまでは情報端末は電子カルテシステムを構成する機器であることを前提として説明してきた。但し、テンプレートを利用して検査データを入力するための装置は特に電子カルテシステムを構成する機器である必要は必ずしもない。特に携帯情報端末の利用が拡大している現在にあっては、一般的な端末を検査データを入力するための装置として利用することも考えられる。
【０１２３】
例えば、図１６は、医療機関内に構築される本発明の第３の実施の形態における電子カルテシステムＳ１を含む院内システムＡ１の別の全体構成を示すブロック図である。第３の実施の形態における電子カルテシステムＳ２は、情報端末１Ｂと電子カルテサーバ２Ａから構成されている。但しここでの「情報端末１Ｂ」は、検査データを入力するために利用される端末ではなく、電子カルテを作成するため、或いは、読影等の処理を行うために設けられているワークステーションである。また、第３の実施の形態においては、電子カルテサーバは、第２の実施の形態における電子カルテサーバ２Ａと同じ機能を備えていることを前提としている。
【０１２４】
さらに、図１６には、電子カルテシステムＳ２にアクセスして、検査データを入力するための電子カルテ端末装置Ｘが示されている。この電子カルテ端末装置Ｘは、医療従事者が検査を行う際に使用する装置であり、検査データを入力し電子カルテに反映させることが可能とされている。すなわち、電子カルテ端末装置Ｘの機能、内部構成は上述した情報端末１と同様である。従って、入力した検査データを電子カルテに反映させる流れやテンプレートを作成する流れについても上述した通りである。
【０１２５】
このように既存の電子カルテシステムが院内システムとして構築されている場合に、後から端末を導入しても、当該端末を電子カルテ端末装置として利用することによって、電子カルテシステムを構成する情報端末と同様の機能、使い勝手を得ることができる。またこの電子カルテ端末装置であれば、既存の電子カルテシステムを改造等する必要がないことから、導入も容易になるものと考える。
【０１２６】
なお、第３の実施の形態においては、電子カルテサーバ２Ａにおいて入力された検査データを電子カルテに反映させる処理等を行うことを前提として説明したが、例えば、反映処理やテンプレートの作成処理を、例えば、通信ネットワークＮに接続されているクラウドサーバーにおいて行わせるという構成も採用することができる。この場合には、電子カルテサーバも反映処理等の各種処理を行わずに済むので、それだけ装置構成を簡便にすることができる。
【０１２７】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【０１２８】
１    情報端末
２    電子カルテサーバ
１０    テンプレート情報制御部
１１    受信部
１２    入力確認部
１３    入力結果反映部
１４    表示指示部
１５    判断部
１６    テンプレートデータベース
１７    テンプレート作成部
１８    送信部
【図１】
2015215807.tif 000003
【図２】
2015215807.tif 000004
【図３】
2015215807.tif 000005
【図４】
2015215807.tif 000006
【図５】
2015215807.tif 000007
【図６】
2015215807.tif 000008
【図７】
2015215807.tif 000009
【図８】
2015215807.tif 000010
【図９】
2015215807.tif 000011
【図１０】
2015215807.tif 000012
【図１１】
2015215807.tif 000013
【図１２】
2015215807.tif 000014
【図１３】
2015215807.tif 000015
【図１４】
2015215807.tif 000016
【図１５】
2015215807.tif 000017
【図１６】
2015215807.tif 000018